(57)【要約】      （修正有）【課題】螺合させて締結した雄ねじ部材と雌ねじ部材が緩まないようにするためのネジ部材の緩み防止構造を提供する。【解決手段】雄ねじ部材はピッチ及び径が異なる２種のねじ山を刻設し、それぞれに螺合した雌ねじ部材同士を締結する構造であって、一方の雌ねじ部材の締結面に弾性体を設ける。雌ねじ部材は、雌ねじ部材の大径ねじ山に、小径のねじ山を通過させて螺合する。【選択図】図１
0003160576.tif 000002
【実用新案登録請求の範囲】
【請求項１】
螺合させて締結した雄ねじ部材と雌ねじ部材が緩まないようにするためのネジ部材の緩み防止構造において、該雄ねじ部材はピッチ及び径が異なる２種のねじ山を刻設し、それぞれに螺合した雌ねじ部材同士を締結する構造であって、一方の雌ねじ部材の締結面に弾性体を設けたことを特徴とするネジ部材の緩み防止構造。
【請求項２】
締結面に弾性体を設けた雌ねじ部材は、雄ねじ部材の大径のねじ山に、小径のねじ山を通過させて螺合する請求項１記載のネジ部材の緩み防止構造。
【請求項３】
雄ねじ部材に刻設した大径のねじ山は、小径のねじ山のピッチより小さい請求項１又は２記載のネジ部材の緩み防止構造。
【考案の詳細な説明】
【技術分野】
【０００１】
本考案は、雄ねじに螺合したナットの緩みを防止するための構造の改良に関する。
【背景技術】
【０００２】
雄ねじ部材と雌ねじ部材の組み合わせによる締結構造は、回転や振動などによって徐々に緩んでしまう問題がある。このため、ボルトやスリーブなどの雄ねじ部材に、ナットなどの雌ねじ部材を螺合して締結したとき、雄ねじ部材や雌ねじ部材が相互に緩まないようにする手段として種々の方法が採られている。例えば一般的に雄ねじ部材に２つの雌ねじ部材を螺合し、雌ねじ部材同士を締め付けて緩みを防止するいわゆるダブルナットが広く利用されている。
【０００３】
また、特許文献１に示すようにダブルナットの改良として、小ピッチネジと大ピッチネジの二重ピッチネジを形成し、小ピッチネジと大ピッチネジのそれぞれにナットを螺合させ、これらのナット同士を締め付けて緩み止めとした構造がある。
【先行技術文献】
【特許文献】
【０００４】
【特許文献１】特開平７−１０３２２１
【考案の概要】
【考案が解決しようとする課題】
【０００５】
特許文献１に示した二重ピッチネジは、ピッチが異なる２つのナットを螺合して締め付けることができるため、従来の単一ピッチネジの雄ねじ部材に締め付けるダブルナットに比して、緩みにくくなると共に、ピッチの異なる２つのナットを任意の位置で締め付けることができるという効果がある。
しかしながら、本来の目的である緩み止めという点に関しては、あまり大きな効果が得られないのが実情である。
【０００６】
ピッチが異なる２つのナットを雄ねじ部材を介して締め付けた場合、締め付けることによってほぼ一体化させた２つのナットは、ピッチが異なるためにナット間に滑りが生じなければ、雄ねじ部材に対して移動しにくくし緩み防止として大きな効果が生じる。このことは逆に、２つのナット同士の締め付けに緩みが生じてしまえばほとんど効果がなく、従来の一般的なダブルナットによる緩み防止手段とほとんど変わらなくなる。
【課題を解決するための手段】
【０００７】
そこで本考案者は上記問題に鑑み鋭意研究の結果、本考案を成し得たものであり、その特徴とするところは、螺合させて締結した雄ねじ部材と雌ねじ部材が緩まないようにするためのネジ部材の緩み防止構造において、該雄ねじ部材はピッチ及び径が異なる２種のねじ山を刻設し、それぞれに螺合した雌ねじ部材同士を締結する構造であって、一方の雌ねじ部材の締結面に弾性体を設けたことにある。
【０００８】
本明細書中でいう「雄ねじ部材」とは、棒材やパイプなどの周面にピッチ及び径が異なる２種のねじ山を刻設した部材をいう。それぞれのねじ山にナットなどの雌ねじ部材を螺合し、雌ねじ部材同士を締め付ける。大径側のねじ山に対する小径側のねじ山のピッチは、同じピッチでなければ大きくても小さくてもよく、特に限定するものではない。
【０００９】
「弾性体」とは、ウレタン、ポリアミドなどのプラスチック、ゴムなどをいう。本考案においては、雌ねじ部材の一方の締結面に弾性体を設ける。これにより、雌ねじ部材同士を締め付けたときに、間に介在した弾性体が圧縮された状態となる。
【考案の効果】
【００１０】
本考案に係るネジ部材の緩み防止構造は、ピッチ及び径が異なる２種のねじ山を刻設した雄ねじ部材に、一方の締結面に弾性体を設けた２つの雌ねじ部材を螺合して締結させる構造としている。このため、２つの雌ねじ部材が弾性体によって突っ張った状態で異なるピッチに螺合して締結され、雄ねじ部材上で移動をより確実に防止することができる。さらに、雌ねじ部材同士が締結面に弾性体を介在させて締結しているため、雌ねじ部材間の摩擦抵抗が大きく、緩みを防止する上で極めて大きな効果が得られる。
【図面の簡単な説明】
【００１１】
【図１】本考案に係るネジ部材の緩み防止構造の一実施例を示す一部を断面した分解図である。（実施例１）
【図２】図１に示したネジ部材の緩み防止構造の一部を断面した組立図である。
【図３】図１に示したネジ部材の緩み防止構造をブレーカーに応用した例を示す正面図である。
【図４】本考案に係るネジ部材の緩み防止構造の他の実施例を示す部分断面図である。（実施例２）
【考案を実施するための形態】
【００１２】
本考案は、雄ねじ部材にピッチ及び径が異なる２種のねじ山を刻設し、それぞれに螺合した雌ねじ部材の一方の締結面に弾性体を設けて締結する構造としたことにより、上述課題を解決した。
【実施例１】
【００１３】
図１は、本考案に係るネジ部材の緩み防止構造１の一実施例であり、圧縮空気を送るホースの接続部に応用したもので、空圧機器に取り付けるスリーブ２にピッチ及び径が異なる２種のねじ山を刻設している。本例では、大径のねじ山を小径のねじ山に対してピッチを小さくしている。大径のねじ山には小径のねじ山を通過させて締付ナット３を螺合する。小径のねじ山には袋ナット５を螺合して、ホースを接続するためのニップル４をスリーブ２に連結する。
【００１４】
締付ナット３にはウレタンのリング６を嵌め込むための取付部３１を設けており、図２に示すようにリング６を介在させた状態で締付ナット３と袋ナット５を締結して、緩み防止が図られる。一般的に、ホースを接続するためのニップル４をスリーブ２に固定するには、袋ナット５をスリーブ２に締め付けることによって行なわれる。本考案ではスリーブ２に締め付けた袋ナット５に対して、さらにウレタンのリング６を設けた締付ナット３を締め付けることで、袋ナット５の緩み止めをより確実にしている。
【００１５】
これにより、図３に示すブレーカーＢに本考案に係るネジ部材の緩み防止構造１を設けることで、ブレーカーＢの激しい振動に対しても空気漏れやホースが外れたりすることを防止でき、作業効率を高めることが可能となる。スリーブ２には、基本的に２種のピッチを刻設して２種の雌ねじ部材が共回りすることを防止すればよい。ただ、本例のようにスリーブ２に締め付けた袋ナット５に対して締め付ける締付ナット３側のピッチを小さくすることで、小さな力でも大きな締付力を得ることができる。
【実施例２】
【００１６】
本考案に係るネジ部材の緩み防止構造１は、２種の雌ねじ部材の一方を雄ねじ部材に対して動かないように保持することで緩みを防止する構造である。例えば、図４に示すように基材９に取り付けるボルト７の緩みを防止する場合、ピッチ及び径が異なるねじ山を刻設したボルト７に、大径のねじ山にナット８を締め付けた後、小径のねじ山にナット８を螺合させて締結して緩み止めとする。本例では、大径のナット８側にリング６を設けているが、小径のナット８側にリング６を設けるようにしてもよい。
【符号の説明】
【００１７】
Ｂ  ブレーカー
１  ネジ部材の緩み防止構造
２  スリーブ
３  締付ナット
３１  取付部
４  ニップル
５  袋ナット
６  リング
７  ボルト
８  ナット
９  機材
【図１】
0003160576.tif 000003
【図２】
0003160576.tif 000004
【図３】
0003160576.tif 000005
【図４】
0003160576.tif 000006
【手続補正書】
【提出日】平成22年3月24日(2010.3.24)
【手続補正２】
【補正対象書類名】明細書
【補正対象項目名】０００１
【補正方法】変更
【補正の内容】
【０００１】
本考案は、雄ねじ部材とこれに螺合した雌ねじ部材の緩みを防止するための構造の改良に関する。
【手続補正書】
【提出日】平成22年4月21日(2010.4.21)
【手続補正１】
【補正対象書類名】実用新案登録請求の範囲
【補正対象項目名】請求項３
【補正方法】変更
【補正の内容】
【請求項３】
雄ねじ部材に刻設した大径のねじ山のピッチは、小径のねじ山のピッチより小さい請求項１又は２記載のネジ部材の緩み防止構造。